(57)【特許請求の範囲】
【請求項１】
巻尺のケースに装着可能な係合部材と、その係合部材をロック可能に保持し且つ衣服またはベルト等に装着可能な装着手段を備えた保持部材とからなるホルダーであって、係合部材は一方向が長いプレート体に係合部が立設されてなると共にその係合部材がケースに取り付けられた際にプレート体とケースとの間に適宜の隙間が開くようになっており、また、保持部材は係合部材の係合部と自動係合可能な係合受部が形成されていると共にその係合状態において係合部材のプレート体の短手方向と同一または少し広めの間隙を開けて対向する壁を有した一部または全部が可動且つ自動復帰可能な収容部からなり、その収容部は係合部材の係合部の押し当てによって前記対向する壁が開いて係合受部への案内路が発現可能になり、その後係合部が係合受部に入っていって係合されることによって収容部の壁が閉じ、巻尺が保持部材にロック状態に保持されることを特徴とする巻尺ホルダー
【請求項２】
前記係合部材のプレート体が略楕円形または略長方形であることを特徴とする請求項１の巻尺ホルダー
【請求項３】
前記係合部材の係合部が断面円形または断面楕円の柱状体であることを特徴とする請求項１の巻尺ホルダー
【請求項４】
前記係合部材の係合部が断面多角形または断面三角形の柱状体であることを特徴とする請求項１の巻尺ホルダー
【請求項５】
前記係合部材の係合部がプレート体とケースとの間に適宜の隙間を設けるための脚部を兼ねていることを特徴とする請求項１の巻尺ホルダー
【請求項６】
前記保持部材の収容部が一対の可動且つ自動復帰可能なものであることを特徴とする請求項１の巻尺ホルダー
【請求項７】
前記保持部材の収容部が係合部材の係合部を案内路の発現部位に誘導可能な形状になっていることを特徴とする請求項１の巻尺ホルダー
【発明の詳細な説明】
【０００１】
【産業上の利用分野】
本発明は、衣服またはベルト等に装着して、巻尺をロック可能に保持する巻尺ホルダーに関するものである。
【０００２】
【従来技術と問題点】
従来、巻尺は寸法測定に幅広く用いられており、特に、携帯に便利な自動巻取式の巻尺は建築現場を始めとする種々の現場で用いられている。
その現場の中でも、巻尺に限らず工具の使用に細心の注意を払って使用しなければならない現場があり、そこは高所の現場であって、巻尺や工具の落下が思わぬ負傷事故に発展してしまう危険をいつも孕んでいるのである。
【０００３】
このため、工具の場合においては、袋等の収納具を身体に装着し、その中に使用する工具等を収納して作業を行っているのである。
しかし、巻尺においては、その使用が測定作業に係るために巻尺単独での使用が多く、よって、収納具を身体に装着することなく、巻尺に設けられているベルト引掛け用のベルトクリップ（図３７参照）や巻尺ホルダー（図３８参照）を適宜に使用し、巻尺一つを持って測定作業に望むことが往々にしてある。
【０００４】
また、巻尺を収納具に入れたとしても、収納具は工具の収納を目的に形成されているため巻尺の形状に合わず、返って巻尺の出し入れがやり難くなってしまい巻尺落下の原因ともなってしまうのである。
従って、現状では上述のようにベルトクリップや巻尺ホルダーの使用によって巻尺の落下を防止するようにしているが、これらは単に巻尺を保持するだけのものであるため巻尺をロック状態に保持することはできず、よって、巻尺の落下の危険は回避されていないのである。
【０００５】
【目的】
本発明は上述した問題点に鑑みてなされたもので、巻尺をロック可能に保持することができ、さらには、巻尺を握っている手でもロック／アンロック操作を容易に行うことができる巻尺ホルダーを提供することを目的とするものである。
【０００６】
【問題を解決するための手段】
本発明の要旨とするところは、巻尺のケースに装着可能な係合部材と、その係合部材をロック可能に保持し且つ衣服またはベルト等に装着可能な装着手段を備えた保持部材とからなるホルダーであって、その係合部材と保持部材は後述する各態様によって構成されてなる。
係合部材は、巻尺のケースに適宜の方法により、例えば、ネジ／粘着テープ／圧入／嵌入／接着等による固定手段によって取り付け可能になっており、また、本体の適宜の部位には、保持部材に形成されている係合受部とロック状態に係合可能（係着も含む）な係合部が形成されている。
また、係合部材の一部または全部を巻尺のケースに一体成型してもよい。すなわち、ケースの成型と同時成型可能な部位を一体的に成型したり、あるいは、成型された係合部材の一部または全部をインサート成型によってケースに一体的に成型してもよい。
【０００７】
保持部材は、前述のように係合部材をロック状態に係合（保持）することができ、そして、ロックを解除（アンロック）する際は、巻尺を適宜に動かすことによって、保持部材に設けられている解除操作部が作動したり、また、保持部材に設けられている解除操作部を手等で適宜に操作したり、そして、圧力を以って嵌っている嵌合部を力によって外すことによって解除される。
また、保持部材には、作業者の衣服／ズボン／ベルト等に装着するための装着手段、例えば、ピン／ベルト通孔／フック等が設けられており、保持部材はそれらによって作業者の所定の部位に装着される。
【０００８】
そして、係合部材や保持部材の素材等も特に限定するものではなく、適宜の樹脂素材や金属素材またはそれらの組み合せて形成すればよい。
例えば、樹脂素材の一例としては、塩化ビニールやポリカーボネート等を一体成型等によって形成してもよい。また、金属素材の一例としては、アルミ／ステンレス／チタン等の金属素材を折曲げやプレスまたダイキャストや押出し等の方法によって形成してもよい。
勿論、巻尺ホルダーとしての強度や機能を満足できれば上述のものに限定されるものではなく最適な素材によって形成すればよい。また、より高い強度を必要とするのであれば、樹脂素材と金属素材を適所に用いて形成すればよい。
【０００９】
ホルダーの第１の態様は、係合部材は一方向が長いプレート体に係合部が立設されてなると共にその係合部材が巻尺のケースに取り付けられた際にプレート体とケースとの間に適宜の隙間が開くようになっており、また、保持部材は係合部材の係合部と自動係合可能な係合受部が形成されていると共にその係合状態において係合部材のプレート体の短手方向と同一または少し広めの間隙を開けて対向する壁を有した一部または全部が可動且つ自動復帰可能な収容部からなり、その収容部は係合部材の係合部の押し当てによって係合受部への案内路が発現可能になっていることを特徴とする巻尺ホルダーである。
【００１０】
第１の態様のホルダーを詳しく説明すると、係合部材の係合部のプレート体への立設位置としてはプレート体のほぼ中央部位が望ましいが、係合部材のロック解除動作において、保持部材との係合が解除可能であればプレート体の中央から適宜に偏位した部位または縁部等に設けてもよい。
そして、プレート体と巻尺のケースとの間の隙間は、係合部材が保持部材に係着された際に、少なくともその隙間に進入する部位の保持部材の部材厚より広くしておかなければならない。
【００１１】
プレート体の形状は、一方が長い形状であればどのような形状であってもよく特に限定するものではない。その具体的な形状としては、略楕円形や略長方形がよく、また、周縁が波打ち形状／凸凹形状になっていてもよい。すなわち、後述する保持部材の壁をプレート体の回転によって押し広げることが可能な形状であればどのような形状であってもよい。
また、プレート体の厚さや断面形状も特に限定するものではない。例えば、断面形状が円形／楕円／三角・四角・多角等の角形であってもよい。
【００１２】
係合部の形状は、保持部材の係合受部に係合可能な形状であればどのような形状であってもよく特に限定するものではない。具体的には、断面円形または断面楕円の柱状体や断面多角形または断面三角形の柱状体としてもよい。
そして、その係合部がプレート体と巻尺のケースとの間に適宜の隙間を設けるための脚部を兼用させてもよい。
【００１３】
保持部材の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
【００１４】
収容部とは、係合部材の少なくともプレート体が納まるスペースであって、係合部材のプレート体の短手方向と同一または少し広めの間隙を開けて対向する壁を設け、そして、壁が係合部材のプレート体の回転によって押し広げることができるよう可動可能に、また、自動的に元の位置に復帰可能に構成する。その復帰構造としては、バネ等の弾発等によるものであってもよい。
壁の可動部分は、壁の全部または一部であってもよく、そして、壁は片側のみが可動するものであっても両側が一対で可動するものであってもよい。壁の復帰位置は、係合受部によって係合部材の係合部を係合できる状態にある時である。
そして、後述の案内路の発現部位に係合部材の係合部を容易に誘導できるよう収容部の上方部位等を誘導可能な形状、例えばＶ字状等の形状にしてもよい。
【００１５】
案内路とは、保持部材の適宜の部位から係合受部へ続く部分であり、少なくとも係合部材の係合部が通過可能なスペースとする。
そして、保持部材の全体形状も特に限定するものではなく、係合部材の形状との関係において適宜に選定すればよい。
【００１６】
ホルダーの第２の態様は、係合部材は係合部が形成されたプレート体とそのプレート体とケースとの間に適宜の隙間を設けるための脚部とからなり、また、保持部材は係合部材のプレート体の係合部と自動係合可能な係合受部と係合部材の脚部と自動係合可能な脚受部が形成された収容部からなり、その収容部の少なくとも係合受部および／または脚受部は適宜の弾性を有しており、また、係合受部および／または脚受部への係合が適宜の力によって係合されることを特徴とする巻尺ホルダーである。
【００１７】
第２の態様のホルダーを詳しく説明すると、係合部材のプレート体の形状も特に限定するものではなく、平面視において円形や角形であってもよい。また、平であっても中央が盛り上がった山形状であってもよい。
脚部のプレート体への立設位置としてはプレート体のほぼ中央部位が望ましいが、保持部材の係合受部との係合または解除が可能であればプレート体の中央から適宜に偏位した部位または縁部等に設けてもよい。また、係合部材の少なくとも係合部および／または脚部に適宜の弾性を持たせるようにしてもよい。
プレート体と巻尺のケースとの間の隙間は、係合部材が保持部材に係着された際に、少なくともその隙間に進入する部位の保持部材の部材厚より広くしておかなければならない。
【００１８】
保持部材の収容部の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
係合部材のプレート体と係合する係合受部の係合形態も特に限定するものではないが、具体的には、凸部と凹部の関係からなるものがよい。また、係合部材の脚部と係合する脚受部の係合形態は、前述のプレート体の係合を維持可能であればその脚部の係合形態も特に限定するものではなく、具体的には、脚部が所定の力によって嵌入可能な切り欠き部を有すると共に、脚部の太さとほぼ同一または少し広めの開口からなるものがよい。
そして、保持部材の全体形状も特に限定するものではなく、係合部材の形状との関係において適宜に選定すればよい。
【００１９】
ホルダーの第３の態様は、係合部材は周縁付近を係合部位とするプレート体とそのプレート体とケースとの間に適宜の隙間を設けるための脚部とからなり、また、保持部材は係合部材のプレート体を収容可能な前倒れ且つ自動復帰可能な収容部とプレート体が収容された際にそのプレート体の鉛直移動を阻止可能に配設された張出体とからなることを特徴とする巻尺ホルダーである。
【００２０】
第３の態様のホルダーを詳しく説明すると、係合部材のプレート体の形状も特に限定するものではなく、平面視において円形や角形（多角形も含む）であってもよい。また、平面であっても中央が盛り上がった断面山形状であってもよい。
脚部のプレート体への立設位置としてはプレート体のほぼ中央部位が望ましいが、保持部材の係合受部との係合または解除が可能であればプレート体の中央から適宜に偏位した部位または縁部等に設けてもよい。
プレート体と巻尺のケースとの間の隙間は、係合部材が保持部材に係着された際に、少なくともその隙間に進入する部位の保持部材の部材厚より広くしておかなければならない。
【００２１】
保持部材の収容部の前倒れ且つ自動復帰可能とは、係合部材すなわち巻尺の収容／取出を行う側に適宜に倒れるようになっていると共に、バネ等の弾発等によって元の位置に付勢されていることである。収容部の復帰位置は、収容されたプレート体の鉛直移動を阻止できる状態にある時である。
そして、その収容部はプレート体を適宜に収容可能になっていればよく、具体的には、係合部材の脚部が通過でき且つプレート体より幅が狭い切り欠きを成する。切り欠きの形状も略Ｕ字状等に摺ればよく特に限定するものではない。
張出体は、収容されたプレート体の鉛直移動を阻止可能に配設すればよく、その形態等を特に限定するものではないが、収容部が復帰状態にある時に、係合部材のプレート体の一部を収容部内に係入できるような形態に設けるのが望ましい。
そして、保持部材の全体形状も特に限定するものではなく、係合部材の形状との関係において適宜に選定すればよい。
【００２２】
ホルダーの第４の態様は、係合部材は係合孔とその係合孔を間にして一対の鉤手条が対向して形成されてなり、また、保持部材は係合部材の係合孔と係合可能な係合突起とその周囲に形成されて係合突起と同一またはそれ以上に突出する自動復帰可能なプレート体からなり、そのプレート体はプレート体と保持部材本体との間に適宜の隙間を設けるための脚部を有し、また、係合部材の鉤手条内の鉤手下から外れない幅であることを特徴とする巻尺ホルダーである。
【００２３】
第４の態様のホルダーを詳しく説明すると、係合部材の係合孔は保持部材に設けられる係合突起が嵌るための孔であり、係合孔から係合突起が外れることがなければ、その係合孔と係合突起の形状や嵌合寸法等も同一にすることはなく適宜なものとすればよい。
また、一対の対向する鉤手条とは、保持部材に設けられるプレート体を案内するための案内手段となるもので、プレート体を案内可能であればその形状も特に限定するものではなく、具体的には、鉤手の中央部分を多く突出させた山形状としてもよい。そして、この場合、前述の係合孔は鉤手の頂部を結ぶ線上に設けるのが望ましい。
【００２４】
保持部材のプレート体は、係合部材の鉤手条から外れることがなければどのような形状であってもよく、平面視において円形／多角形／三角形／四角形等の形状であってもよい。そして、プレート体は係合突起の周囲に形成されるが、その周囲の意味は、係合突起の全周と共に周囲の一部に形成されることを含むものであり、その形成形態は係合部材に形成される係合孔との位置関係等によって適宜に決めればよい。また、プレート体を自動復帰可能にするためには、バネ等の弾発等によって元の位置に付勢するようにすればよい。また、プレート体の復帰位置は、係合突起の頂部より下方に位置している時である。
脚部のプレート体への立設位置も特に限定するものではなく、本体中央やその中央から適宜に偏位した部位または縁部等に設けてもよいが、少なくとも保持部材の本体とプレート体との間には、係合部材の鉤手条が入る隙間が無ければならない。プレート体の自動復帰を可能にするため脚部も適宜の構造にしてもよい。
そして、保持部材の全体形状も特に限定するものではなく、係合部材の形状との関係において適宜に選定すればよい。
【００２５】
ホルダーの第５の態様は、係合部材は自動復帰可能な係合突起とその係合突起の復帰位置において係合突起の動きを阻止可能に且つ係合部材の本体より突出する突出部が設けられてなる自動復帰可能な制動部材とその制動部材の所定の動作を確保可能に係合部材の本体とケースとの間に適宜の隙間を設けるための脚部とからなり、また、保持部材は係合部材を収容可能に且つ係合部材の係合突起と係合可能な係合孔を有すると共に係合突起と係合孔の少なくとも係合位置付近においては係合部材の制動部材を復帰状態におき且つ突出部を押し当て可能な壁が設けられた収容部からなることを特徴とする巻尺ホルダーである。
【００２６】
第５の態様のホルダーを詳しく説明すると、係合突起は、後述の保持部材に形成される係合孔に嵌る突起である。そして、係合突起と係合孔はその機能を考慮して適宜な形態（形状や寸法等）のものとすればよい。また、係合突起の自動復帰とは、自動的に元の位置に復帰可能になっていることで、具体的には、バネ等の弾発等によって元の位置に付勢するようにすればよい。その復帰位置は係合突起が突出している状態の時である。係合突起の動作形態も特に限定するものではなく、進退動作または回動動作するようにしてもよい。
制動部材は、係合突起の引っ込み動作を阻止可能になっているもので、この制動部材も部材の弾性やバネ等の弾発等によって自動的に元の位置に復帰可能になっている。そして、制動部材の復帰位置は、係合突起の引っ込み動作を阻止できる状態にある時と共に、突出部が適宜に突出している状態にある時である。
脚部の係合部材の本体への立設位置も特に限定するものではなく、本体中央やその中央から適宜に偏位した部位または縁部等に設けてもよいが、少なくとも係合部材の本体とケースとの間には、制動部材の突出部を係合突起の引っ込み動作が可能になる位置まで押し込めるだけの距離寸法と同じ寸法の隙間が無ければならない。
【００２７】
保持部材の収容部は、適宜に係合部材の所定の部位を収容することができればどのような形状であってもよい。収容部に設けられている係合突起が入る係合孔は、その機能と共に係合突起との関係を考慮して適宜な形態（形状や寸法等）のものとすればよい。
また、収容部の係合突起と係合孔の少なくとも係合位置においては、係合部材の制動部材の突出部を押し当て可能な壁等の押当手段が設ける。さらに、収容スペースにおいては、係合部材の制動部材の突出部を係合突起の引っ込み動作が可能になる位置まで押し込めるだけの距離寸法と同じ寸法の奥行き方向のスペースが無ければならない。
そして、保持部材の全体形状も特に限定するものではなく、係合部材の形状との関係において適宜に選定すればよい。具体的には、係合部材が略逆台形状または略逆三角形状であると共に、保持部材が少なくともその係合部材の係合突起付近の形状とほぼ合致する形状としてもよい。
【００２８】
ホルダーの第６の態様は、係合部材は係合部が形成された一方向が長いプレート体とそのプレート体とケースとの間に適宜の隙間を設けるための脚部とからなり、また、保持部材は係合部材のプレート体を挿入するための開口を有する本体とその本体の開口に挿入したプレート体が適宜に回転されることによって係合部材の係合部と自動係合可能な係合受部が形成されてなり、その係合が適宜の圧力を以って係合されることを特徴とする巻尺ホルダーである。
【００２９】
第６の態様のホルダーを詳しく説明すると、係合部材のプレート体の形状は、一方が長い形状であればどのような形状であってもよく特に限定するものではない。その具体的な形状としては、略楕円形や略長方形で、また、断面形状が円形／楕円／三角・四角・多角等の角形であってもよく、さらに、平面であっても中央が盛り上がった山形状であってもよい。そして、周縁が波打ち形状／凸凹形状になっていてもよい。
脚部のプレート体への立設位置としてはプレート体のほぼ中央部位が望ましいが、保持部材の係合受部との係合または解除が可能であればプレート体の中央から適宜に偏位した部位または縁部等に設けてもよい。
プレート体と巻尺のケースとの間の隙間は、係合部材が保持部材に係着された際に、少なくともその隙間に進入する部位の保持部材の部材厚より広くしておかなければならない。
【００３０】
保持部材のプレート体を挿入するための開口は、保持部材の係合受部と係合部材の係合部とが係合した時その係合が外れることがなければ、プレート体の形状とほぼ同一の形状にしなくてもよい。勿論、ほぼ同一の形状としてもよい。
保持部材の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。そして、係合部材の係合部と保持部材の係合受部との係合が突起と孔との関係によるものであってもよく、また、その係合は適宜の圧力を以って行うようにしてもよい。
【００３１】
係合部材および／または前記保持部材には、係合部材の係合部と保持部材の係合受部とを係合させるための案内または位置決め手段を設けてもよい。
また、係合部材および／または前記保持部材の一部または全部を適宜の弾性素材で形成してもよい。
そして、保持部材の全体形状も特に限定するものではなく、係合部材の形状との関係において適宜に選定すればよい。
【００３２】
ホルダーの第７の態様は、係合部材はプレート体に係合部が立設されてなると共にその係合部材がケースに取り付けられた際にプレート体とケースとの間に適宜の隙間が開くようになっており、また、保持部材は係合部材の係合部と自動係合可能な係合受部が形成されると共にその係合状態において係合部材の最大幅と同一または少し広めの間隙を開けて対向する壁を有した一部または全部が可動且つ自動復帰可能な収容部からなり、その収容部は係合部材の係合部の押し当てによって係合受部への案内路が発現可能になっており、また、適宜の部位に係合部材の係合解除操作部が設けられていることを特徴とする巻尺ホルダーである。
【００３３】
第７の態様のホルダーを詳しく説明すると、係合部材の係合部のプレート体への立設位置としてはプレート体のほぼ中央部位が望ましいが、係合部材のロック解除動作において、保持部材との係合が解除可能であればプレート体の中央から適宜に偏位した部位または縁部等に設けてもよい。プレート体の形状も特に限定するものではなく、平面視で円形または多角形等にしてもよい。
係合部の形状は、保持部材の係合受部に係合可能な形状であればどのような形状であってもよく特に限定するものではない。具体的には、断面円形または断面楕円の柱状体や断面多角形または断面三角形の柱状体としてもよい。
そして、プレート体と巻尺のケースとの間の隙間は、係合部材が保持部材に係着された際に、少なくともその隙間に進入する部位の保持部材の部材厚より広くしておかなければならない。また、係合部にプレート体と巻尺のケースとの間に適宜の隙間を設けるための脚部を兼用させてもよい。
【００３４】
保持部材の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
収容部とは、係合部材の少なくともプレート体が納まるスペースであって、係合部材のプレート体の最大幅と同一または少し広めの間隙を開けて対向する壁を設け、そして、壁を手等によって開放できるよう可動可能に、また、自動的に元の位置に復帰可能に構成する。その復帰構造としては、バネ等の弾発等によるものであってもよい。壁の可動部分は壁の全部であっても一部であってもよく、さらに、壁は片側のみが可動するものであっても、両側が一対で可動するものであってもよい。また、壁の復帰位置は、係合受部によって係合部材の係合部を係合できる状態にある時である。
そして、後述の案内路の発現部位に係合部材の係合部を容易に誘導できるよう収容部の上方部位等を誘導可能な形状、例えばＶ字状等の形状にしてもよい。
案内路とは、保持部材の適宜の部位から係合受部へ続く部分であり、少なくとも係合部材の係合部が通過可能なスペースとする。
保持部材の全体形状も特に限定するものではなく、係合部材の形状との関係において適宜に選定すればよい。また、係合部材の係合解除操作部の形成部位も特に限定するものではない。例えば、壁の上方に突出させて設けてもよい。
【００３５】
ホルダーの第８の態様は、係合部材は係合部が形成されたプレート体とそのプレート体とケースとの間に適宜の隙間を設けるための脚部とからなり、また、保持部材は係合部材のプレート体を収容可能な収容部とその収容部の奥端に設けられて係合部材の係合部と自動係合可能な係合受部が形成された自動復帰可能なレバーとからなることを特徴とする巻尺ホルダーである。
【００３６】
第８の態様のホルダーを詳しく説明すると、係合部材のプレート体の形状も特に限定するものではなく、平面視において円形や角形であってもよい。
脚部のプレート体への立設位置としては、係合部より上方のプレート体のほぼ中央部位が望ましいが、保持部材の係合受部との係合または解除が可能であればプレート体の中央から適宜に偏位した部位または縁部さらには係合部より下方等に設けてもよい。また、その脚部に係合部を設けてもよい。
プレート体と巻尺のケースとの間の隙間は、係合部材が保持部材に係着された際に、少なくともその隙間に進入する部位の保持部材の部材厚より広くしておかなければならない。
【００３７】
保持部材に設けられたレバーの自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
係合部材の係合部と係合する係合受部の係合形態も特に限定するものではないが、具体的には、突起や突条とツメの関係からなるものがよい。そして、自動係合のため突起や突条および／またはツメがそれぞれの部材を乗り越え可能に形成する。また、レバーは手等によって係合を解除できるよう可動可能に、また、自動的に元の位置に復帰可能に構成する。その復帰構造としては、バネ等の弾発等によるものであってもよい。
レバーの操作形態も特に限定するものではないが、具体的には、レバーが係合部材の挿脱方向に対して直角方向にスライドするものがよい。
また、収容部の入口に、係合部材の脱方向に弾発する弾性手段を設けると共に、係合部材にその弾性手段と当接可能な当接部を設けて、係合部材と保持部材が係合された際に、係合部材の当接部によって保持部材の弾性手段が押し込まれるようにしてもよい。当接部も適宜な形状とすればよい。また。弾性手段も特に限定するものではなく、素材の有する弾性を用いたりバネ部材等を設けてもよい。
そして、レバーを含めて保持部材の全体形状も特に限定するものではなく、係合部材の形状との関係において適宜に選定すればよい。
【００３８】
ホルダーの第９の態様は、係合部材は周縁付近を係合部位とするプレート体とそのプレート体とケースとの間に適宜の隙間を設けるための脚部とからなり、また、保持部材は係合部材のプレート体を挿入可能な開口を有する本体とその本体の外方に設けられてプレート体の係合部位と自動係合可能な係合受部が形成された自動復帰可能なボタンとからなることを特徴とする巻尺ホルダーである。
【００３９】
第９の態様のホルダーを詳しく説明すると、係合部材のプレート体の形状も特に限定するものではなく、平面視において円形や楕円また角形であってもよい。
また、平であっても中央が盛り上がった山形状であってもよい。
脚部のプレート体への立設位置としてはプレート体のほぼ中央部位が望ましいが、保持部材の係合受部との係合または解除が可能であればプレート体の中央から適宜に偏位した部位または縁部等に設けてもよい。
プレート体と巻尺のケースとの間の隙間は、係合部材と保持部材の係着形態による位置寸法を考慮して適宜に設定すればよい。
【００４０】
保持部材のプレート体を挿入するための開口は、保持部材の係合受部と係合部材の係合部とが係合した時その係合が外れることがなければ、プレート体の形状とほぼ同一の形状にしなくてもよい。勿論、ほぼ同一の形状としてもよい。
保持部材の自動係合可能な係合受部のその自動係合とは、手等による介助を必要とすることなく係合部材の係合部が係合されることであって、それは、係合受部が直接にそのような形態になっていたり、あるいは、係合受部の前段にそのような形態の部分が介在しているものであってもよい。
ボタンの設置する部位も特に限定するものではないが本体の外方に設けるのがよい。また、本体の外方に開口を間にして一対で設けてもよい。ボタンの形状は手等によって係合を解除できるように、また、自動的に元の位置に復帰可能に構成する。その復帰構造としては、バネ等の弾発等によるものであってもよい。また、ボタンの操作形態も特に限定するものではないが、具体的には、ボタンを本体の内方に押し込むことによって係合が解除されるようにするのがよい。
そして、ボタンの押し込み操作によって係合部材のプレート体が脱方向すなわち開口から押し出されるようにしてもよい。
さらに、保持部材の本体の一部または全部を開口を中心としたすり鉢状に形成してもよい。
そして、ボタンを含めて保持部材の全体形状も特に限定するものではなく、係合部材の形状との関係において適宜に選定すればよい。
【００４１】
【作用】
本発明の巻尺ホルダーは以上のように係合部材と保持部材とから構成されており、係合部材は適宜に巻尺のケースに装着され、また、保持部材は適宜に作業者のベルト等に装着される。
そして、第１の態様から第３の態様までは、係合部材の保持部材への係合が自動的にロック状態に係合され、また、係合を解除する際は、係合部材が取り付けられた巻尺を適宜に操作することによってロック状態が解除される。
【００４２】
第１の態様は、巻尺に装着された係合部材の係合部を保持部材の収容部上部に押し当てることによって収容部の壁が適宜に開くと共に、係合部を受ける係合受部への案内路が現れ、係合部は係合受部に且つプレート体は収容部内に入って行き、係合部が係合受部に係合されることによって収容部の壁が閉じ、巻尺は保持部材にロック状態に保持される。
係合の解除は、巻尺を係合部を中心軸として右または左に回転させることによってプレート体が回転し、プレート体の長手方向の端部が収容部の壁を押し広げることによって係合受部から外部に続く案内路が現れ、係合部と共にプレート体を収容部から引き出すことができるようになり、従って、巻尺を取り出すことができるようになる。
【００４３】
第２の態様は、巻尺に装着された係合部材の脚部を保持部材の収容部の脚受部に適宜の力を以って嵌め入れることによってプレート体の係合部も収容部の係合受部に係合され、巻尺は保持部材にロック状態に保持される。
係合の解除は、巻尺を取り出す方向に力任せに引くことによってプレート体の係合部と収容部の係合受部との係合が解除されると共に、脚部と脚受部との係合が解除され、収容部からプレート体を引き出すことができるようになり、従って、巻尺を取り出すことができる。
【００４４】
第３の態様は、巻尺に装着された係合部材のプレート体を保持部材の収容部内に挿入して行くと、保持部材の張出体の作用によってプレート体が収容部を前倒れさせ且つプレート体は張出体を乗り越えて収容部内に入り、プレート体が張出体を乗り越えた時点で前倒れの収容部が元に戻ってプレート体の上方移動が阻止され、巻尺は保持部材にロック状態に保持される。
係合の解除は、巻尺を外方に倒すことによってプレート体の上方移動を阻止する張出体の作用すなわち係合作用が解除され、収容部からプレート体を引き出すことができるようになり、従って、巻尺を取り出すことができる。
【００４５】
第４の態様から第６の態様までは、係合部材の保持部材への係合が、係合部材が取り付けられた巻尺を適宜に操作することによってロック状態に係合され、また、係合を解除する際も、その巻尺を適宜に操作することによってロック状態が解除される。
【００４６】
第４の態様は、巻尺に装着された係合部材の鉤手条を保持部材のプレート体の周縁に引っ掛けてそのプレート体を引き出しながら鉤手条をプレートに嵌めて行き、係合部材の係合孔と保持部材の係合突起が合った位置でプレート体を元の位置に戻すことによって係合部材の係合孔と保持部材の係合突起が係合され、巻尺は保持部材にロック状態に保持される。
係合の解除は、巻尺を外方に引くことによってプレート体が引き上がり、係合部材の係合孔と保持部材の係合突起の係合が解除され、プレート体から鉤手条を引き出すことができるようになり、従って、巻尺を取り出すことができる。
【００４７】
第５の態様は、巻尺に装着された係合部材の突出部を係合部材の係合突起が引っ込み動作可能な位置まで押し当てながら係合部材を保持部材の収容部に入れて行き、係合部材の係合突起が保持部材の係合孔に係合した時点で突出部の押し当てを止めることによって係合突起に制動が掛かり、巻尺は保持部材にロック状態に保持される。
係合の解除は、巻尺を内方に押しすなわち突出部を引っ込ませることによって係合突起の制動が解除され、収容部から係合部材を引き出すことができるようになり、従って、巻尺を取り出すことができる。
【００４８】
第６の態様は、巻尺に装着された係合部材のプレート体を保持部材の本体の開口内に入れ、巻尺を回転させることによってプレート体が回転して行き、プレート体の係合部と保持部材の係合受部が係合され、巻尺は保持部材にロック状態に保持される。
係合の解除は、巻尺を力任せに回転させることによってプレート体の係合部と保持部材の係合受部との係合が解除され、プレート体を開口内から取り出すことができるようになり、従って、巻尺を取り出すことができる。
【００４９】
第７の態様から第９の態様までは、係合部材の保持部材への係合が自動的にロック状態に係合され、また、係合を解除する際は、保持部材の解除操作部を手等によって適宜に操作することによってロック状態が解除される。
【００５０】
第７の態様は、巻尺に装着された係合部材の係合部を保持部材の収容部上部に押し当てることによって収容部の壁が適宜に開くと共に、係合部を受ける係合受部への案内路が現れ、係合部は係合受部に且つプレート体は収容部内に入って行き、係合部が係合受部に係合されることによって収容部の壁が閉じ、巻尺は保持部材にロック状態に保持される。
係合の解除は、保持部材の解除操作部を操作し、収容部の壁を押し広げることによって係合受部から外部に続く案内路が現れ、係合部と共にプレート体を収容部から引き出すことができるようになり、従って、巻尺を取り出すことができるようになる。
【００５１】
第８の態様は、巻尺に装着された係合部材のプレート体を保持部材の収容部内に入れて行くことによってプレート体の係合部が保持部材のレバーの係合受部に係合され、巻尺は保持部材にロック状態に保持される。
係合の解除は、保持部材のレバーを操作することによってプレート体の係合部とレバーの係合受部との係合が解除され、プレート体を収容部から引き出すことができるようになり、従って、巻尺を取り出すことができる
【００５２】
第９の態様は、巻尺に装着された係合部材のプレート体を保持部材の本体の開口内に入れて行くことによってプレート体の係合部と保持部材の係合受部が係合され、巻尺は保持部材にロック状態に保持される。
係合の解除は、保持部材のボタンを操作することによってプレート体の係合部と保持部材の係合受部との係合が解除され、プレート体を開口内から取り出すことができるようになり、従って、巻尺を取り出すことができる。
【００５３】
【実施例】
本発明の巻尺ホルダーを以下図面に従って説明すると、図１〜図４までは第１の態様の巻尺ホルダーを示すものであり、図１は、第１の態様の係合部材を装着した巻尺の斜視図、図２は、巻尺の正面図、図３は、第１の態様の保持部材の斜視図、図４は、係合状態の図である。図４の左図は、係合部材１がロック状態に保持部材９に収容されている状態で、右図は、係合部材１の本体となるプレート体１ａを回転させて可動壁１３を開きロックを解除した状態である。
１は巻尺８のケースにネジ等によって装着された係合部材、１ａは係合部材１の本体となるプレート体、２は保持部材９の係合受部１５と係合する係合部であると共に、係合部材１の脚部５でもある。
９は保持部材で係合部材１をロック状態に保持するホルダーである。１０はベルトを通すためのベルト通孔、１１はプレート体１ａを収容する収容部、１２は係合部材１の係合部２（脚部５）の押当部、１３は可動壁、１４は係合部材１の係合部２（脚部５）の押し当てによって発現した案内路、１５は係合部材１の係合部２と係合する係合受部である。
【００５４】
図５〜図８までは第２の態様の巻尺ホルダーを示すものであり、図５は、第２の態様の係合部材を装着した巻尺の斜視図、図６は、巻尺の正面図、図７は、第２の態様の保持部材の斜視図、図８は、係合状態の断面図である。
１は巻尺８のケースにネジ等によって装着された係合部材、１ａは係合部材１の本体となるプレート体、２は保持部材９の係合受部１５と係合する係合部、５は係合部材１の脚部である。
９は保持部材で係合部材１をロック状態に保持するホルダーである。１０はベルトを通すためのベルト通孔、１１はプレート体１ａを収容する収容部、１５はプレート体１ａの係合部２と係合する係合受部、１６は係合部材１の脚部５の所定の部位と係合する脚受部である。
【００５５】
図９〜図１２までは第３の態様の巻尺ホルダーを示すものであり、図９は、第３の態様の係合部材を装着した巻尺の斜視図、図１０は、巻尺の正面図、図１１は、第３の態様の保持部材の斜視図、図１２は、係合状態の一部断面図である。図１２の左図は、係合部材１がロック状態に保持部材９に収容されている状態で、右図は、巻尺８を傾斜させ可動壁１３を開けてロックを解除した状態である。
１は巻尺８のケースにネジ等によって装着された係合部材、１ａは係合部材１の本体となるプレート体、２は保持部材９の係合受部１５と係合する係合部でその係合する部位はプレート体１ａの周縁の所定の部位となる。５は係合部材１の脚部である。
９は保持部材で係合部材１をロック状態に保持するホルダーである。１０はベルトを通すためのベルト通孔、１１はプレート体１ａを収容する収容部、１３は可動壁、１７はプレート体１ａの上方移動を阻止する張出体である。
【００５６】
図１３〜図１６までは第４の態様の巻尺ホルダーを示すものであり、図１３は、第４の態様の係合部材を装着した巻尺の斜視図、図１４は、巻尺の正面図、図１５は、第４の態様の保持部材の斜視図、図１６は、係合状態の一部断面図である。図１６の左図は、係合部材１がロック状態に保持部材９に収容されている状態で、右図は、巻尺８を外方に引いてプレート２０体を引き出しロックを解除した状態である。
１は巻尺８のケースにネジ等によって装着された係合部材、３は保持部材９の係合突起１８と係合する係合孔、６は保持部材９のプレート体２０を挟む鉤手条部である。
９は保持部材で係合部材１をロック状態に保持するホルダーである。１０はベルトを通すためのベルト通孔、１８は係合突起、２０は進退移動するプレート体、２０ａはプレート体の脚である。
【００５７】
図１７〜図２０までは第５の態様の巻尺ホルダーを示すものであり、図１７は、第５の態様の係合部材を装着した巻尺の斜視図、図１８は、巻尺の正面図、図１９は、第５の態様の保持部材の斜視図、図２０は、係合状態の図である。図２０の左図は、係合部材１がロック状態に保持部材９に収容されている状態で、右図は、巻尺８を押して制動部材７の制動を解きロックを解除した状態である。
１は巻尺８のケースにネジ等によって装着された係合部材、４は保持部材９の係合孔１９と係合する係合突起、７は係合突起４の進退移動を制御する制動部材である。すなわち、制動部材７が係合部材１内に押し込まれることによって係合突起４が進退移動でき、制動部材７が係合部材１から突出している（復帰状態）と係合突起４は係合部材１内に入らない。
９は保持部材で係合部材１をロック状態に保持するホルダーである。１０はベルトを通すためのベルト通孔、１１は係合部材１を収容する収容部、１９は係合部材１の係合突起４と係合する係合孔である。
【００５８】
図２１〜図２４までは第６の態様の巻尺ホルダーを示すものであり、図２１は、第６の態様の係合部材を装着した巻尺の斜視図、図２２は、巻尺の正面図、図２３は、第６の態様の保持部材の斜視図、図２４は、係合状態の一部断面図である。
１は巻尺８のケースにネジ等によって装着された係合部材、１ａは係合部材１の本体となるプレート体、２は保持部材９の係合受部１５と係合する係合部、２ａは保持部材９の凸部２２と係合する凹部で、すなわち、係合部材１と保持部材９との位置決手段である。５は係合部材１の脚部である。
９は保持部材で係合部材１をロック状態に保持するホルダーである。１０はベルトを通すためのベルト通孔、１５は係合部材１の係合部２と係合する係合受部、２１は係合部材１のプレート体１ａを入れる開口、２２は凹部で係合部材１と保持部材９との位置決手段である。
【００５９】
図２５〜図２８までは第７の態様の巻尺ホルダーを示すものであり、図２５は、第７の態様の係合部材を装着した巻尺の斜視図、図２６は、巻尺の正面図、図２７は、第７の態様の保持部材の斜視図、図２８は、係合状態の図である。図２８の左図は、係合部材１がロック状態に保持部材９に収容されている状態で、右図は、係合部材１の可動壁１３に設けられたレバー２３を操作して可動壁１３を開きロックを解除した状態である。
１は巻尺８のケースにネジ等によって装着された係合部材、１ａは係合部材１の本体となるプレート体、２は保持部材９の係合受部１５と係合する係合部であると共に、係合部材１の脚部５でもある。
９は保持部材で係合部材１をロック状態に保持するホルダーである。１０はベルトを通すためのベルト通孔、１１はプレート体１ａを収容する収容部、１２は係合部材１の係合部２（脚部５）の押当部、１３は可動壁、１４は係合部材１の係合部２（脚部５）の押し当てによって発現した案内路、１５は係合部材１の係合部２と係合する係合受部、２３は可動壁１３を開けるためのレバーである。
【００６０】
図２９〜図３２までは第８の態様の巻尺ホルダーを示すものであり、図２９は、第８の態様の係合部材を装着した巻尺の斜視図、図３０は、巻尺の正面図、図３１は、第８の態様の保持部材の斜視図、図３２は、係合状態の図である。図３２の左図は、係合部材１がロック状態に保持部材９に収容されている状態で、右図は、保持部材９に設けられたレバー２３を操作（スライド）してロックを解除した状態である。
１は巻尺８のケースにネジ等によって装着された係合部材、１ａは係合部材１の本体となるプレート体、２は保持部材９の係合受部１５と係合する係合部、２ｂは保持部材９の弾性部２５を押し込むための押圧部、５は係合部材１の脚部である。
９は保持部材で係合部材１をロック状態に保持するホルダーである。１０はベルトを通すためのベルト通孔、１１はプレート体１ａを収容する収容部、１５は係合部材１の係合部２と係合する係合受部、２３は係合部材１の係合部２と保持部材９の係合受部１５との係合を解くためのレバーである。その係合が解かれると弾性部２５によってプレート体１ａの押圧部２ｂが押し上げられるので、レバー２３が元の位置に復帰しても、係合部材１の係合部２と保持部材９の係合受部１５とが係合することはない。
【００６１】
図３３〜図３６までは第９の態様の巻尺ホルダーを示すものであり、図３３は、第９の態様の係合部材を装着した巻尺の斜視図、図３４は、巻尺の正面図、図３５は、第９の態様の保持部材の斜視図、図３６は、係合状態の斜視図である。図３６の左図は、係合部材１のプレート体１ａと保持部材９の係合受部１５とのロック状態を示し、右図は、保持部材９に設けられたボタン２４を操作（押し込み）してロックを解除した状態である。
１は巻尺８のケースにネジ等によって装着された係合部材、１ａは係合部材１の本体となるプレート体、２は保持部材９の係合受部１５と係合する係合部、５は係合部材１の脚部である。
９は保持部材で係合部材１をロック状態に保持するホルダーである。１０はベルトを通すためのベルト通孔、１５は係合部材１の係合部２と係合する係合受部、
２１は係合部材１のプレート体１ａを入れる開口、２４は係合部材１の係合部２と保持部材９の係合受部１５との係合を解くためのボタンである。
【００６２】
【効果】
本発明の巻尺ホルダーは以上のように構成されているので、巻尺専用のホルダーとして巻尺をロック可能に保持することができる。これにより、保持部材すなわちホルダーに納めた巻尺は確実にロックされるので、引っ掛り等によってホルダー内から巻尺が落下することもなく、通常作業また高所作業の際も巻尺を安全に携帯することができ、巻尺落下による二次的事故を防止することができる。
そして、巻尺を握っている手でもロック／アンロック操作を容易に行うことができるので、ホルダーへの着脱操作時に巻尺を落下させてしまう危険をも防止できる極めて優れたものである。
【図面の簡単な説明】
【図１】  第１の態様の係合部材を装着した巻尺の斜視図
【図２】  巻尺の正面図
【図３】  第１の態様の保持部材の斜視図
【図４】  係合状態の図
【図５】  第２の態様の係合部材を装着した巻尺の斜視図
【図６】  巻尺の正面図
【図７】  第２の態様の保持部材の斜視図
【図８】  係合状態の断面図
【図９】  第３の態様の係合部材を装着した巻尺の斜視図
【図１０】  巻尺の正面図
【図１１】  第３の態様の保持部材の斜視図
【図１２】  係合状態の一部断面図
【図１３】  第４の態様の係合部材を装着した巻尺の斜視図
【図１４】  巻尺の正面図
【図１５】  第４の態様の保持部材の斜視図
【図１６】  係合状態の一部断面図
【図１７】  第５の態様の係合部材を装着した巻尺の斜視図
【図１８】  巻尺の正面図
【図１９】  第５の態様の保持部材の斜視図
【図２０】  係合状態の図
【図２１】  第６の態様の係合部材を装着した巻尺の斜視図
【図２２】  巻尺の正面図
【図２３】  第６の態様の保持部材の斜視図
【図２４】  係合状態の一部断面図
【図２５】  第７の態様の係合部材を装着した巻尺の斜視図
【図２６】  巻尺の正面図
【図２７】  第７の態様の保持部材の斜視図
【図２８】  係合状態の図
【図２９】  第８の態様の係合部材を装着した巻尺の斜視図
【図３０】  巻尺の正面図
【図３１】  第８の態様の保持部材の斜視図
【図３２】  係合状態の図
【図３３】  第９の態様の係合部材を装着した巻尺の斜視図
【図３４】  巻尺の正面図
【図３５】  第９の態様の保持部材の斜視図
【図３６】  係合状態の斜視図
【図３７】  従来の巻尺の斜視図
【図３８】  従来の巻尺ホルダーの斜視図
【符号の説明】
１−係合部材，１ａ−プレート体，２−係合部，２ａ−凹部，２ｂ−押圧部，３−係合孔，４−係合突起，５−脚，６−鉤手条部，７−制動部材，８−巻尺，９−保持部材，１０−ベルト通孔，１１−収容部，１２−押当部，１３−可動壁，１４−案内路，１５−係合受部，１６−脚受部，１７−張出体，１８−係合突起，１９−係合孔，２０−プレート体，２０ａ−脚，２１−開口，２２−凸部，２３−レバー，２４−ボタン，２５−弾性部，２６−ベルトクリップ，２７−巻尺ホルダー，２８−収容部，２９−クリップ掛け
【図１】
0004663217.tif 000002
【図２】
0004663217.tif 000003
【図３】
0004663217.tif 000004
【図４】
0004663217.tif 000005
【図５】
0004663217.tif 000006
【図６】
0004663217.tif 000007
【図７】
0004663217.tif 000008
【図８】
0004663217.tif 000009
【図９】
0004663217.tif 000010
【図１０】
0004663217.tif 000011
【図１１】
0004663217.tif 000012
【図１２】
0004663217.tif 000013
【図１３】
0004663217.tif 000014
【図１４】
0004663217.tif 000015
【図１５】
0004663217.tif 000016
【図１６】
0004663217.tif 000017
【図１７】
0004663217.tif 000018
【図１８】
0004663217.tif 000019
【図１９】
0004663217.tif 000020
【図２０】
0004663217.tif 000021
【図２１】
0004663217.tif 000022
【図２２】
0004663217.tif 000023
【図２３】
0004663217.tif 000024
【図２４】
0004663217.tif 000025
【図２５】
0004663217.tif 000026
【図２６】
0004663217.tif 000027
【図２７】
0004663217.tif 000028
【図２８】
0004663217.tif 000029
【図２９】
0004663217.tif 000030
【図３０】
0004663217.tif 000031
【図３１】
0004663217.tif 000032
【図３２】
0004663217.tif 000033
【図３３】
0004663217.tif 000034
【図３４】
0004663217.tif 000035
【図３５】
0004663217.tif 000036
【図３６】
0004663217.tif 000037
【図３７】
0004663217.tif 000038
【図３８】
0004663217.tif 000039